(57)【要約】本願は、ダストボックス（１００）及びロボット掃除機（２００）を開示する。ダストボックス（１００）は本体（１０）と、下蓋（２０）と、を含み、前記本体（１０）の底部に排塵口（１１）が形成される。前記下蓋（２０）は対向する第１側部（２１）及び第２側部（２２）を含み、前記第１側部（２１）が前記本体（１０）に回転可能に接続されることで前記下蓋（２０）は前記排塵口（１１）を開放又は閉鎖し、前記下蓋（２０）が前記排塵口（１１）を閉鎖する時、前記第２側部（２２）は第１係止構造（３０）によって前記本体（１０）に係合して接続される。【選択図】図２
2021516100.tif 000002
【特許請求の範囲】
【請求項１】
底部に排塵口が形成された本体と、
汚染物質を載せるように構成された下蓋であって、対向する第１側部及び第２側部を含み、前記第１側部が前記本体に回転可能に接続されることで前記下蓋は前記排塵口を開放又は閉鎖し、前記下蓋が前記排塵口を閉鎖する時、前記第２側部が第１係止構造によって前記本体に係合して接続される下蓋と、を含むことを特徴とするダストボックス。
【請求項２】
前記下蓋は底壁と、前記底壁の縁部から延在する側壁と、を含み、前記底壁と前記側壁とによって凹溝が画定され、前記下蓋が前記排塵口を閉鎖する時、前記本体の底部は前記凹溝に進入し、前記側壁が前記本体の底部を取り囲むことを特徴とする請求項１に記載のダストボックス。
【請求項３】
前記本体には前記排塵口に連通する集塵チャンバが形成され、前記下蓋は、前記底壁に固定され且つ前記凹溝内に収容された凸ブロックを含み、前記下蓋が前記排塵口を閉鎖する時、前記凸ブロックは前記集塵チャンバに進入し且つ前記集塵チャンバの底部を塞ぐことを特徴とする請求項２に記載のダストボックス。
【請求項４】
前記本体は外周面と、前記外周面に接続された底面と、を含み、前記外周面と前記底面との接合部に収容溝が形成され、前記下蓋が前記排塵口を閉鎖する時、前記側壁は前記収容溝に収容され、前記外周面が前記側壁の外側面に滑らかにつながることを特徴とする請求項２に記載のダストボックス。
【請求項５】
前記ダストボックスはボタンを含み、前記ボタンは回転軸を含み、前記ボタンは前記回転軸によって回転可能に前記本体に設けられ、前記第１係止構造は前記ボタンの一端に形成された係止フックと、前記第２側部に形成された係止部と、を含み、前記ボタンは前記本体に対して第１位置と第２位置との間で揺動可能であり、ここで、前記第１位置にある時、前記係止フックが前記係止部に係合して、前記下蓋は前記排塵口を閉鎖することを特徴とする請求項１に記載のダストボックス。
【請求項６】
前記係止フックは上向きの係合面を含み、前記係止部は係止バーを含み、前記第１位置にある時、前記係止バーは前記係合面を受け止めることを特徴とする請求項５に記載のダストボックス。
【請求項７】
前記ボタンは押し板を含み、前記回転軸は前記押し板の中央の部位に固定され、前記押し板は前記回転軸をはさんだ両側にそれぞれ位置する第１揺動端及び第２揺動端を含み、前記係止フックは前記第１揺動端に形成され、前記第１揺動端は前記本体から離れる方向に揺動し、前記第２揺動端は前記本体に近づく方向に揺動し、前記本体には前記第２揺動端が揺動するために退避空間が形成されていることを特徴とする請求項５に記載のダストボックス。
【請求項８】
前記本体の頂部には前記排塵口に連通する開口が形成され、
前記ダストボックスは、前記本体の頂部に取り外し可能に設けられ且つ前記開口を封止する上蓋をさらに含むことを特徴とする請求項１に記載のダストボックス。
【請求項９】
前記上蓋は第２係止構造によって前記本体に接続されることを特徴とする請求項８に記載のダストボックス。
【請求項１０】
ハウジングと、
前記ハウジング内に設けられる請求項１〜９のいずれか１項に記載のダストボックスと、を含むことを特徴とするロボット掃除機。
【発明の詳細な説明】
【技術分野】
【０００１】
本願は、２０１８年０３月０８日に中国国家知識産権局に提出された特許出願番号が２０１８２０３２１９０９．０である特許出願の優先権を主張し、その全体内容は参照することによって本願に組み込まれる。
【０００２】
本願は、ロボット掃除機の分野に関し、特にダストボックス及びロボット掃除機に関する。
【背景技術】
【０００３】
日常生活の中で、ロボット掃除機はユーザーの床面清掃の基本的ニーズを満たすことができる。しかしながら、ロボット掃除機の中でダストボックスがゴミ等の汚染物質で満たされると、ユーザーはダストボックス内のゴミを除去するために複雑な操作を行う必要があり、使いにくいのである。
【発明の概要】
【発明が解決しようとする課題】
【０００４】
本願によれば、ダストボックス及びロボット掃除機が提供される。
【課題を解決するための手段】
【０００５】
本願の実施形態のダストボックスは本体と、下蓋と、を含み、前記本体の底部に排塵口が形成される。前記下蓋は対向する第１側部及び第２側部を含み、前記第１側部が前記本体に回転可能に接続されることで前記下蓋は前記排塵口を開放又は閉鎖し、前記下蓋が前記排塵口を閉鎖する時、前記第２側部は第１係止構造によって前記本体に係合して接続され、前記下蓋は汚染物質を載せるように構成される。
【０００６】
いくつかの実施形態において、前記下蓋は底壁と、前記底壁の縁部から延在する側壁と、を含み、前記底壁と前記側壁とによって凹溝が画定され、前記下蓋が前記排塵口を閉鎖する時、前記本体の底部は前記凹溝に進入し、前記側壁が前記本体の底部を取り囲む。
【０００７】
いくつかの実施形態において、前記本体には前記排塵口に連通する集塵チャンバが形成され、前記下蓋は、前記底壁に固定され且つ前記凹溝内に収容された凸ブロックを含み、前記下蓋が前記排塵口を閉鎖する時、前記凸ブロックは前記集塵チャンバに進入し且つ前記集塵チャンバの底部を塞ぐ。
【０００８】
いくつかの実施形態において、前記本体は外周面と、前記外周面に接続された底面と、を含み、前記外周面と前記底面との接合部に収容溝が形成され、前記下蓋が前記排塵口を閉鎖する時、前記側壁は前記収容溝に収容され、前記外周面が前記側壁の外側面に滑らかにつながる。
【０００９】
いくつかの実施形態において、前記ダストボックスはボタンを含み、前記ボタンは回転軸を含み、前記ボタンは前記回転軸によって回転可能に前記本体に設けられ、前記第１係止構造は前記ボタンの一端に形成された係止フックと、前記第２側部に形成された係止部と、を含み、前記ボタンは前記本体に対して第１位置と第２位置との間で揺動可能であり、ここで、前記第１位置にある時、前記係止フックが前記係止部に係合して、前記下蓋は前記排塵口を閉鎖する。
【００１０】
いくつかの実施形態において、前記係止フックは上向きの係合面を含み、前記係止部は係止バーを含み、前記第１位置にある時、前記係止バーは前記係合面を受け止める。
【００１１】
いくつかの実施形態において、前記ボタンは押し板を含み、前記回転軸は前記押し板の中央の部位に固定され、前記押し板は前記回転軸をはさんだ両側にそれぞれ位置する第１揺動端及び第２揺動端を含み、前記係止フックは前記第１揺動端に形成され、前記第１揺動端は前記本体から離れる方向に揺動し、前記第２揺動端は前記本体に近づく方向に揺動し、前記本体には前記第２揺動端が揺動するために退避空間が形成されている。
【００１２】
いくつかの実施形態において、前記本体の頂部には前記排塵口に連通する開口が形成され、前記ダストボックスは、前記本体の頂部に取り外し可能に設けられ且つ前記開口を封止する上蓋をさらに含む。
【００１３】
いくつかの実施形態において、前記上蓋は第２係止構造によって前記本体に接続される。
【００１４】
本願の実施形態のロボット掃除機はハウジングと、上記のいずれかの実施形態に記載のダストボックスと、を含み、ダストボックスはハウジング内に設けられる。
【発明の効果】
【００１５】
本願のダストボックス及びロボット掃除機によれば、下蓋が係止構造によって本体に接続されることにより、下蓋で排塵口を開放しやすくなり、これにより本体内のダスト等のゴミが本体から排出され、操作しやすい。本願の付加的な態様及び利点は次の説明の部分に示される。その一部の内容は次の説明により明瞭になるか、本願の実施によって理解されるのであろう。
【００１６】
本願の上述した及び／又は付加的な態様及び利点は、次の図面を用いる実施形態の説明により明瞭で理解しやすいものになるであろう。
【図面の簡単な説明】
【００１７】
【図１】本願の実施形態のダストボックスの斜視模式図である。
【図２】本願の実施形態のダストボックスの斜視分解模式図である。
【図３】本願の実施形態のダストボックスの側面模式図である。
【図４】本願の実施形態のロボット掃除機の平面模式図である。
【符号の説明】
【００１８】
１００…ダストボックス、１０…本体、１１…排塵口、１２…吸気口、１３…排気口、１４…集塵チャンバ、１５…外周面、１６…底面、１７…収容溝、２０…下蓋、２１…第１側部、２２…第２側部、２３…底壁、２４…側壁、２５…凹溝、２６…凸ブロック、３０…第１係止構造、３１…係止フック、３１１…係合面、３２…係止部、３２１…係止バー、４０…濾過装置、５０…ボタン、５１…回転軸、５２…押し板、５２１…第１揺動端、５２２…第２揺動端、６０…上蓋、７０…第２係止構造、２００…ロボット掃除機、２１０…ハウジング。
【発明を実施するための形態】
【００１９】
次に、本願の実施形態を詳細に説明する。図面に当該実施形態の例を示している。常に同じ又は類似する符号で、同じもしくは類似する部品又は同じ又は類似する機能を有する部品を示す。図面を参照して説明される下記の実施形態は例示的なもので、本願を解釈するためのものに過ぎず、本願に対する制限として理解されるべきではない。
【００２０】
本願の説明において、用語「中央」、「縦方向」、「横方向」、「長さ」、「幅」、「厚さ」、「上」、「下」、「前」、「後」、「左」、「右」、「鉛直」、「水平」、「頂」、「底」「内」、「外」、「時計回り」、「反時計回り」等で指示された方位又は位置関係は、図面に示される方位又は位置関係に基づいていうものであり、本願の説明の便宜上及び説明の簡素化のためのものに過ぎず、その対象になる装置又は部品は必ず特定の方位に設けられ、特定の方位から構成又は操作されなければならないことを指示するか又はこの旨を示唆するものではない。また、用語「第１」、「第２」は説明用のものに過ぎず、相対的な重要性を指示又は示唆するもの、あるいはそれによって示される技術的特徴の数量を暗黙的に指示するものとして理解されるべきではない。これにより、「第１」、「第２」で限定される特徴は１つの又は複数の当該特徴を明確に又は暗黙的に含んでよい。本願の説明において、特に明確で具体的に限定される場合を除き、「複数」は少なくとも２つ、又は３つ以上を意味する。
【００２１】
本願において、特に明確で具体的に規定又は限定される場合を除き、「取り付ける」、「連通」、「接続」は広義に理解されるべきである。例えば、固定して接続されてもよいし、取り外し可能に接続されてもよいし、又は一体的に接続されてもよい。機械的に接続されてもよいし、電気的に接続されてもよいし、又は互いに通信できるものであってもよい。直接接続されてもよいし、中間の媒介を介して間接的に接続されてもよく、２つの部品の内部の連通又は２つの部品の相互の作用関係であってもよい。当業者にとって、状況に応じて本願における上記の用語の具体的な意味を理解することができる。
【００２２】
本願において、特に明確な規定又は限定される場合を除き、第１特徴が第２特徴の「上」又は「下」に配置されることは、第１特徴が第２特徴に直接接触することであってもよいし、第１特徴が第２特徴に直接接触するのではなく、それらの間の他の特徴を介して接触することであってもよい。さらに、第１特徴が第２特徴の「上」、「上方」又は「上部」に配置されることは、第１特徴が第２特徴の直上又は斜め上方に配置されることであってもよいし、第１特徴が第２特徴よりもの水平面からの高さが大きいことを意味してもよい。第１特徴が第２特徴の「下」、「下方」又は「下部」に配置されることは、第１特徴が第２特徴の直下又は斜め下方に配置されることであってもよいし、第１特徴が第２特徴よりも水平面からの高さ小さいことを意味してもよい。
【００２３】
上述した内容で本願の異なる構造を実現するために多くの異なる実施形態又は例が開示されている。本願の開示の簡素化のために、上述した内容で特定の例に係る部材とその設置を説明している。当然ながら、これらは例示的なものに過ぎず、しかもその目的は本願を限定することにない。また、本願では異なる例において、同じ数字や記号を参照することができ、かかる参照は説明の簡素化と分かりやすくすることが目的である。それ自体は検討される各種の実施形態及び／又は設置の関連性を示すものではない。さらに、本願には様々な特定のプロセスと材料の例が挙げられたが、当業者にとって、その他プロセス及び／又はその他材料も適用できることが自明である。
【００２４】
図１及び図２に示すとおり、本願の実施形態のダストボックス１００は本体１０と、下蓋２０と、を含み、本体１０の底部に排塵口１１が形成される。下蓋２０は対向する第１側部２１及び第２側部２２を含み、第１側部２１が本体１０に回転可能に接続されることで下蓋２０は排塵口１１を開放又は閉鎖し、下蓋２０が排塵口１１を閉鎖する時、第２側部２２は第１係止構造３０によって本体１０に係合して接続され、下蓋２０は汚染物質を載せるように構成される。
【００２５】
図４に示すとおり、前記ダストボックス１００はロボット掃除機２００に用いることができる。具体的には、ロボット掃除機２００はハウジング２１０を含み、ダストボックス１００はハウジング２１０内に設けられる。
【００２６】
前記ダストボックス１００及びロボット掃除機２００によれば、下蓋２０が第１係止構造３０によって本体１０に接続されることにより、下蓋２０で排塵口１１を開放しやすくなり、本体１０内のダスト等のゴミが本体１０から排出され、操作しやすい。
【００２７】
具体的には、ロボット掃除機２００からダストを除去する時は、ダストボックス１００をロボット掃除機２００から取り出し、次に下蓋２０と本体１０との係合を解除することによって、下蓋２０が回転できるようになると排塵口１１を開放し、下蓋２０に載せられた汚染物質が下蓋２０の回転に伴って本体１０から流出する。このように、汚染物質を除去する時は、本体１０から濾過装置を取り出さなくて済み、清掃プロセスが容易になる。
【００２８】
図３に示すとおり、本体１０に吸気口１２及び排気口１３が形成され、吸気口１２及び排気口１３は本体１０の同じ側面に配置されてよい。吸気口１２は本体１０の下部に配置され、排気口１３は本体１０の上部に配置される。本体１０内に濾過装置４０が設けられ、濾過装置４０は吸気口１２と排気口１３との間に配置される。ロボット掃除機２００が動作する時、吸気口１２と排気口１３との間に気流が形成され、ダスト等の汚染物質が気流に伴って吸気口１２から本体１０に入る。濾過装置４０によって濾過されると、汚染物質は止められて排気口１３に流動できずに本体１０内に残り、除塵効果が実現される。
【００２９】
第１側部２１が本体１０に回転可能に接続されることは、次の形態で実現できる。例えば、第１側部２１に回転軸が設けられ、本体１０に軸受け孔が形成され、回転軸が軸受け孔に収容されることによって、第１側部２１が本体１０に回転可能に接続される。
【００３０】
なお、底部方向は図２に示す下向きの方向であり、頂部方向は図２に示す上向きの方向である。
【００３１】
また図１及び図２に示すとおり、いくつかの実施形態において、下蓋２０は底壁２３と、底壁２３の縁部から延在する側壁２４と、を含み、底壁２３と側壁２４によって凹溝２５が画定され、下蓋２０が排塵口１１を閉鎖する時、本体１０の底部は凹溝２５に進入し、側壁２４が本体１０の底部を取り囲む。
【００３２】
このように、側壁２４が本体１０の底部を取り囲むことで、排塵口１１はより厳密にカバーされ、ダスト等の汚染物質を集める過程で、汚染物質が排出口から流出してロボット掃除機２００の内部の部品を汚染することが防止され、ロボット掃除機２００の耐用年数が引き延ばされる。
【００３３】
いくつかの実施形態において、本体１０には排塵口１１に連通する集塵チャンバ１４が形成され、下蓋２０は、底壁２３に固定され且つ凹溝２５内に収容される凸ブロック２６を含み、下蓋２０が排塵口１１を閉鎖する時、凸ブロック２６は集塵チャンバ１４に進入し且つ集塵チャンバ１４の底部を塞ぐ。このように、凸ブロック２６は排塵口１１のシール性をさらに高め、汚染物質が本体１０から流出することを防止できる。
【００３４】
いくつかの実施形態において、本体１０は外周面１５と、外周面１５に接続された底面１６と、を含み、外周面１５と底面１６との接合部に収容溝１７が形成され、下蓋２０が排塵口１１を閉鎖する時、側壁２４は収容溝１７に収容され、外周面１５が側壁２４の外側面に滑らかにつながる。このように、下蓋２０が本体１０に滑らかにつながって接続されるため、ダストボックス１００の外周が滑らかであり、ダストボックス１００をロボット掃除機２００に入れることにも、ロボット掃除機２００から取り出すことにも役立つ。
【００３５】
いくつかの実施形態において、ダストボックス１００はボタン５０を含み、ボタン５０は回転軸５１を含み、ボタン５０は回転軸５１によって回転可能に本体１０に設けられ、第１係止構造３０はボタン５０の一端に形成された係止フック３１と、第２側部２２に形成された係止部３２と、を含み、ボタン５０は本体１０に対して第１位置と第２位置との間で揺動可能であり、ここで、第１位置にある時、係止フック３１が係止部３２に係合して、下蓋２０は排塵口１１を閉鎖する。また、第２位置にある時、係止フック３１が係止部３２から離脱して、下蓋２０は本体１０に対して回転できる。
【００３６】
これによって、ボタン５０が押下されると、係止フック３１が係止部３２から離脱して、下蓋２０が回転して排塵口１１を開放すると汚染物質が排出され、シンプルな方式で排塵が実現される。
【００３７】
具体的には、係止フック３１は上向きの係合面３１１を含み、係止部３２は係止バー３２１を含み、第１位置にある時、係止バー３２１が係合面３１１を受け止める。
【００３８】
いくつかの実施形態において、ボタン５０は押し板５２を含み、回転軸５１は押し板５２の中央の部位に固定される。押し板５２は回転軸５１をはさんだ両側にそれぞれ位置する第１揺動端５２１及び第２揺動端５２２を含み、係止フック３１は第１揺動端５２１に形成され、第１揺動端５２１は本体１０から離れる方向に揺動し、第２揺動端５２２は本体１０に近づく方向に揺動し、本体１０には第２揺動端５２２が揺動するために退避空間１８が形成される。
【００３９】
これによって、退避空間１８はボタン５０が回転する過程で本体１０に干渉することを防止できる。
【００４０】
いくつかの実施形態において、本体１０の頂部には排塵口１１に連通する開口が形成され、ダストボックス１００は、本体１０の頂部に取り外し可能に設けられ且つ開口を封止する上蓋６０をさらに含む。
【００４１】
これによって、上蓋６０を取り外した後、濾過装置４０を本体１０から取り出すことも、ストレーナー装置を本体１０に入れることも容易である。
【００４２】
いくつかの実施形態において、上蓋６０は第２係止構造７０によって本体１０に接続される。これによって、上蓋６０は取り外しやすい。
【００４３】
本明細書の説明において、用語「一つの実施形態」、「いくつかの実施形態」、「例」、「具体例」、又は「いくつかの例」等が含まれる文言は、当該実施形態又は例を用いて説明している具体的な特徴、構造、材料又は利点は、本願の少なくとも１つの実施形態又は例に含まれることを意味するものである。本明細書において、上記の用語を用いる例示的な文言は、必ずしも同一の実施形態又は例に限定されるものとは限らない。さらに、説明される具体的な特徴、構造、材料又は利点はいずれか１つ又は複数の実施形態もしくは例において、適切な方式で組み合わせることができる。
【００４４】
本願の実施形態を示してそれを説明しているとはいえ、本願の趣旨から逸脱しないことを前提に、これらの実施形態には様々な変更、補正、差替え及び変形が可能であり、本願の範囲が特許請求の範囲及び同等なものによって限定されることは、当業者に自明である。
【図１】
2021516100.tif 000003
【図２】
2021516100.tif 000004
【図３】
2021516100.tif 000005
【図４】
2021516100.tif 000006
【国際調査報告】
2021516100.tif 000007
2021516100.tif 000008
2021516100.tif 000009
2021516100.tif 000010
2021516100.tif 000011
2021516100.tif 000012